(57)【要約】【課題】取付場所の状況に合わせたバリエーションが選べるのぼり旗竿を提供する。【解決手段】のぼり旗竿１上端に形成したネジ筒部３に、内周面にネジ溝を有するキャップ体４をねじ込むことにより、チチ７を介して旗Ｐを吊下する横棒６ａ、６ｂを環状突起２とキャップ体４とによって挟持した状態で固定するものとし、またネジ筒部３に対し、２本の横棒６ａ、６ｂの中間部分を上方向から互いに交差状に重ねて差し込み可能とするよう当該ネジ筒部３の開口端側から環状突起２にかけて９０度間隔毎に差込溝５を備える。【選択図】図１
0003122254.tif 000002
【実用新案登録請求の範囲】
【請求項１】
のぼり旗竿上端に形成されたネジ筒部に、内周面にネジ溝を有するキャップ体がねじ込まれることにより、旗を吊下させる横棒が環状突起とキャップ体とによって挟持された状態で固定されるものとしたのぼり旗竿の支持具であって、ネジ筒部に対し２本の横棒を上方向から互いに交差状に重ねて差し込み可能とするよう当該ネジ筒部の開口端側から環状突起にかけて９０度間隔毎に差込溝を備えたことを特徴とするのぼり旗竿。
【請求項２】
差込溝のうちの互いに対向する差込溝に、１本の横棒の中間部分を上方向から差し込み、ネジ筒部にねじ込まれるキャップ体によって固定可能とした請求項１記載ののぼり旗竿。
【請求項３】
差込溝の少なくとも１つに対し、横棒の止め具が付設されていない基部側を差し込み、ネジ筒部にねじ込まれるキャップ体によって当該基部側を固定可能とした請求項１記載ののぼり旗竿。
【考案の詳細な説明】
【技術分野】
【０００１】
本考案は、例えば商品の広告、宣伝のための広告宣伝媒体として使用されるのぼり旗竿に関する。
【背景技術】
【０００２】
従来、この種ののぼり旗竿としては、例えば特許文献１に開示されているように、建築物の取付面の縦方向に沿って受け部材および支持具を両面粘着テープを介して固定し、旗をチチを介して取り付けた竿に固定してある係合部材を、受け部材の弾性挟持部内側の嵌合部へ上方から嵌め込んで嵌合部の下方に設けられたストッパ部で係止させると同時に支持具の弾性挟持部へ前記竿を嵌挿挟持させる技術が存在する。
【０００３】
また、図４（ａ）および図４（ｂ）に示すように、この竿１００の上端に環状突起１０１を介してネジ筒部１０２が形成され、該環状突起１０１とネジ筒部１０２との接合部分における対向部位に２個一対にして略矩形孔状の差込孔１０４が形成され、テープ状吊り下げ材であるチチ１０６を介して旗Ｐを吊下させる細板状の横棒１０３の基部側を差込孔１０４に横方向から差し込むものとしてある。
【０００４】
そして、図５（ａ）および図５（ｂ）に示すように、内周面にネジ溝を有する円筒状キャップ体によって形成された回転頭１０５がネジ筒部１０２にねじ込まれることにより、差込孔１０４に差し込まれた横棒１０３の基部が環状突起１０１と回転頭１０５とによって挟持された状態で固定されるものとしてある。
【特許文献１】特開２００４−１０９７５７号公報
【考案の開示】
【考案が解決しようとする課題】
【０００５】
しかしながら、従来においては、横棒１０３の基部側を差し込むための差込孔１０４が、環状突起１０１とネジ筒部１０２との接合部分における対向部位に２個一対にして略矩形孔状となって設けられているだけであるため、竿１００に対して１８０度間隔で最大２枚の旗Ｐしか取り付けることができなかった。
【０００６】
また、２本別々の横棒を使用する替わりに１本の横棒によって１８０度間隔で旗を２枚取り付ける場合には、この横棒の両端いずれか側を一方の差込孔から対向する他方の差込孔に貫通させる必要があるが、この横棒の両端には、旗のチチを掛け止める略Ｌ字状の係止片による止め具が付設されているため、該横棒を差込孔に差し込むことができないものである。
【０００７】
そこで、本考案は、叙上のような従来存した諸事情に鑑み創出されたもので、長尺な２本の横棒を使用することでのぼり旗竿に対して９０度間隔で合計４枚の旗を取り付けたり、あるいは長尺な１本の横棒によって１８０度間隔で旗を２枚取り付けたりする際に、横棒の両端に旗のチチを掛け止める止め具が付設されていても竿の上端に横棒の中央部分を確実に固定することが可能となり、さらに短尺な１本の横棒によって１枚の旗を取り付ける際に、横棒の止め具が付設されていない基部側を容易に差し込み可能としたのぼり旗竿を提供することを目的とする。
【課題を解決するための手段】
【０００８】
上述した課題を解決するため、本考案にあっては、のぼり旗竿上端に形成されたネジ筒部に、内周面にネジ溝を有するキャップ体がねじ込まれることにより、旗を吊下させる横棒が環状突起とキャップ体とによって挟持された状態で固定されるものとしたのぼり旗竿の支持具であって、ネジ筒部に対し２本の横棒を上方向から互いに交差状に重ねて差し込み可能とするよう当該ネジ筒部の開口端側から環状突起にかけて９０度間隔毎に差込溝を備えたことを特徴とする。
【０００９】
また、差込溝のうちの互いに対向する差込溝に、１本の横棒の中間部分を上方向から差し込み、ネジ筒部にねじ込まれるキャップ体によって固定可能とすることができる。
【００１０】
そして、差込溝の少なくとも１つに対し、横棒の止め具が付設されていない基部側を差し込み、ネジ筒部にねじ込まれるキャップ体によって当該基部側を固定可能とすることができる。
【考案の効果】
【００１１】
本考案によれば、長尺な２本の横棒を使用することでのぼり旗竿に対して９０度間隔で合計４枚の旗を取り付けたり、あるいは長尺な１本の横棒によって１８０度間隔で旗を２枚取り付けたりする際に、横棒の両端に旗のチチを掛け止める止め具が付設されていても竿の上端に横棒の中央部分を確実に固定することが可能となり、さらに短尺な１本の横棒によって１枚の旗を取り付ける際に、横棒の止め具が付設されていない基部側を容易に差し込み可能とする。したがって、これら横棒の数や種類を適宜選択することにより、シングルタイプもしくはダブルタイプ等ののぼり旗竿が容易に得られ、取付場所の状況に合わせたバリエーションが選べるものとなる。
【００１２】
すなわち、本考案にあっては、のぼり旗竿上端に形成されたネジ筒部に、内周面にネジ溝を有するキャップ体がねじ込まれることにより、旗を吊下させる横棒が環状突起とキャップ体とによって挟持された状態で固定されるものとしたのぼり旗竿の支持具であって、ネジ筒部に対し２本の横棒を上方向から互いに交差状に重ねて差し込み可能とするよう当該ネジ筒部の開口端側から環状突起にかけて９０度間隔毎に差込溝を備えたので、長尺な２本の横棒を使用することでのぼり旗竿に対して９０度間隔で合計４枚の旗を取り付けるに際し、横棒の両端に旗のチチを掛け止める止め具が付設されていても竿の上端に横棒の中央部分を互いに交差状に重ねて確実に固定することができる。
【００１３】
また、差込溝のうちの互いに対向する差込溝に、１本の横棒の中間部分を上方向から差し込み、ネジ筒部にねじ込まれるキャップ体によって固定可能としたので、長尺な１本の横棒によって１８０度間隔で旗を２枚取り付けるに際し、横棒の両端に旗のチチを掛け止める止め具が付設されていてものぼり旗竿の上端に横棒の中央部分を確実に固定することができる。
【００１４】
そして、差込溝の少なくとも１つに対し、横棒の止め具が付設されていない基部側を差し込み、ネジ筒部にねじ込まれるキャップ体によって当該基部側を固定可能としたので、短尺な１本の横棒によってのぼり旗竿に１枚の旗を容易に取り付けることができる。特に、のぼり旗竿をコーナー部に設置する場合には、９０度隣接した差込溝それぞれにこの短尺な横棒を取り付けることにより、コーナー部の左右両側から旗が容易に見えるように配置させることができる。しかも、横棒が差し込まれる４つの差込溝を適宜替えるだけで、のぼり旗竿自体をそのまま固定した状態であっても旗が容易に見えるような状態に配置させることができる。
【考案を実施するための最良の形態】
【００１５】
以下、図面を参照して本考案を実施するための最良の一形態を説明する。
図において示される符号１は、例えば商品の広告、宣伝のための広告宣伝媒体として使用されるのぼり旗竿であり、該のぼり旗竿１は、表面を軟質合成樹脂でコーテイングしたスチールパイプあるいは硬質合成樹脂製の強化パイプ等をジョイントパイプで連繋して長尺のものとしたり、あるいはネジ式ストッパを介して伸縮自在に繋いで長尺のものとしたりして形成されている。
【００１６】
図１（ａ）に示すように、のぼり旗竿１の上端には、若干長目の中間胴部２ａを介して環状突起２が形成され、この環状突起２の上端にはネジ筒部３が形成されている。そして、該ネジ筒部３には、内周面にネジ溝４ａを有するキャップ体４がねじ込まれるようにしてある。
【００１７】
また、図１（ａ）および図１（ｂ）に示すように、ネジ筒部３の開口端側から環状突起２の一部にかけて９０度間隔毎に、旗Ｐをテープ状吊り下げ部材であるチチ７を介して吊架するための横棒６ａ、６ｂの厚幅と略同じ幅員を有する略矩形切欠溝状となるように差込溝５が形成されており、２本の横棒６ａ、６ｂのそれぞれ中間部分をネジ筒部３の開口端側から差込溝５内に互いに交差状に重ねて差し込み可能となるようにしてある（図２（ｂ）参照）。
【００１８】
そして、図３に示すように、ネジ筒部３に上方からキャップ体４がねじ込まれることで、差込溝５に嵌り込んだ横棒６ａ、６ｂを、環状突起２における差込溝５の底部とキャップ体４とによって挟持された状態で固定するようにしてある。
【００１９】
すなわち、図２（ａ）に示すように、９０度間隔毎に設けられた差込溝５のうちの互いに対向する一方側の差込溝５に、１本の横棒６ａの中間部分を上方向から差し込み、さらに図２（ｂ）に示すように、互いに対向する他方側の差込溝５に他の１本の横棒６ｂの中間部分を上方向から差し込んだ後、図３に示すように、ネジ筒部３にキャップ体４をねじ込み装着することによって両横棒６ａ、６ｂが環状突起２における差込溝５の底部とキャップ体４とによって挟持された状態で固定されるものとしてある。
【００２０】
また、９０度間隔毎に設けられた差込溝５のうちの互いに対向する差込溝５だけに、１本の横棒６ａ（６ｂ）の中間部分を上方向から差し込んでから、ネジ筒部３にねじ込まれるキャップ体４によって固定できるようにしてある。
【００２１】
さらに、９０度間隔毎に設けられた差込溝５のそれぞれに対し、短尺な１本の横棒６ａ（６ｂ）の止め具が付設されていない基部側を差し込んでから、ネジ筒部３にねじ込まれるキャップ体４によって当該基部側を固定できるようにしても良い。
【００２２】
次に、以上のように構成された最良の形態についての使用、組立の一例について説明する。
先ず、旗Ｐの横縁部側をチチ７を介してのぼり旗竿１に取り付けると同時に、旗Ｐの上縁部側をチチ７を介して横棒６ａ、６ｂに取り付けておく。
【００２３】
そして、図１に示すように、のぼり旗竿１上端のネジ筒部３からキャップ体４を外してから、図２（ａ）に示すように、９０度間隔毎に設けられた差込溝５のうちの互いに対向する一方側の差込溝５に、１本の横棒６ａの中間部分を上方向から差し込む。
【００２４】
さらに図２（ｂ）に示すように、互いに対向する他方側の差込溝５に他の１本の横棒６ｂの中間部分を上方向から差し込んだ後、図３に示すように、ネジ筒部３にキャップ体４をねじ込み装着する。
【００２５】
こうして両横棒６ａ、６ｂがそれぞれ環状突起２における差込溝５の底部とキャップ体４とによって挟持された状態で固定される。
【００２６】
また、長尺な１本の横棒６ａ（６ｂ）によって１８０度間隔で旗を２枚取り付ける場合には、９０度間隔毎に設けられた差込溝５のうちの互いに対向する差込溝５だけに、１本の横棒６ａ（６ｂ）の中間部分を上方向から差し込んでから、ネジ筒部３にねじ込まれるキャップ体４によって固定すれば良い。
【００２７】
さらに、のぼり旗竿１をコーナー部に設置する場合には、所定の９０度隣接した差込溝５それぞれに対し、短尺な１本乃至２本の横棒６ａ（６ｂ）の止め具が付設されていない基部側を差し込んでから、ネジ筒部３にねじ込まれるキャップ体４によって当該基部側を固定すれば、のぼり旗竿１自体をそのまま固定した状態でコーナー部の左右両側からでも旗が見えるようにすることができる。
【００２８】
尚、上記した使用、組立例は単なる一例を示したものであり、これら横棒６ａ、６ｂの数や種類を適宜選択することにより、取付場所の状況に合わせたバリエーションが選べることは勿論である。
【図面の簡単な説明】
【００２９】
【図１】本考案を実施するための最良の形態におけるのぼり旗竿の一例を示すもので、（ａ）はネジ筒部から断面で示したキャップ体を取り外した状態の一部切欠正面図、（ｂ）はキャップ体を取り外した状態の平面図である。
【図２】同じくのぼり旗竿上端の差込溝に横棒を差し込む手順を示し、（ａ）は１本の横棒を差込溝に嵌着した状態の平面図、（ｂ）は２本の横棒を互いに交差した状態に重ねて差込溝に嵌着した状態の平面図である。
【図３】同じくのぼり旗竿の組み立て状態の一例を示す一部切欠正面図である。
【図４】従来例におけるのぼり旗竿を示すもので、（ａ）はネジ筒部から断面で示したキャップ体を取り外した状態の一部切欠正面図、（ｂ）はキャップ体を取り外した状態の平面図である。
【図５】従来例におけるのぼり旗竿の組み立て状態を示すもので、（ａ）はキャップ体を取り外した状態の平面面、（ｂ）は一部切欠正面図である。
【符号の説明】
【００３０】
１          のぼり旗竿
２          環状突起
３          ネジ筒部
４          キャップ体
４ａ        ネジ溝
５          差込溝
６ａ、６ｂ  横棒
７          チチ
Ｐ          旗
【図１】
0003122254.tif 000003
【図２】
0003122254.tif 000004
【図３】
0003122254.tif 000005
【図４】
0003122254.tif 000006
【図５】
0003122254.tif 000007